(57)【要約】【課題】冷凍・空調機用水冷凝縮器の洗浄に最適な薬品を選定する。【解決手段】冷凍・空調機１の水冷凝縮器１０の洗浄薬品を選定する装置２０は、取水地の水質データ、当該取水地から供給される給水地域データおよび洗浄薬品データを記憶する記憶装置２２を備え、当該冷凍・空調機１の設置場所を携帯端末３０から入力すると、洗浄薬品選定アルゴリズムを有したホストコンピュータ２４により、前記水冷凝縮器１０の洗浄に適した洗浄薬品を選定する。ホストコンピュータ２４は、洗浄薬品販売業者に設置された販売業者端末４０にデータ通信網３２を介して見積り、納期回答要求を送信し、販売業者端末４０からホストコンピュータ２４にデータ通信網３２を介して見積り、納期回答を送信する。【選択図】図１
2005030693.tif 000002
【特許請求の範囲】
【請求項１】
冷凍・空調機の水冷凝縮器の洗浄薬品を選定する装置であって、
取水地の水質データ、当該取水地から供給される給水地域データおよび洗浄薬品データを記憶する記憶装置と、
当該冷凍・空調機の設置場所を入力する冷凍・空調機情報入力手段と、
洗浄薬品選定アルゴリズムを有したコンピュータと、
を備え、
前記入力とデータに基づいて、前記水冷凝縮器の洗浄に適した洗浄薬品を選定する洗浄薬品選定装置。
【請求項２】
請求項１に記載の洗浄薬品選定装置であって、
前記冷凍・空調機情報に洗浄実績データを含むことを特徴とする洗浄薬品選定装置。
【請求項３】
請求項１または２に記載の洗浄薬品選定装置であって、
前記コンピュータは前記選定を一元的に行うホストコンピュータであり、
前記冷凍・空調機情報入力手段は前記コンピュータと無線を介したデータ通信を行う携帯端末であることを特徴とする洗浄薬品選定装置。
【請求項４】
請求項１〜３のいずれか１項に記載の洗浄薬品選定装置であって、
前記冷凍・空調機に前記水冷凝縮器の運転情報を前記コンピュータにデータ通信回線を介して送信する運転情報入力手段を備え、
前記コンピュータは洗浄の必要性を判断するアルゴリズムを有し、
前記コンピュータは前記データに基づき、洗浄の必要性の判断を行うことを特徴とする洗浄薬品選定装置。
【請求項５】
請求項４に記載の洗浄薬品選定装置であって、
前記運転情報は、少なくとも冷却水および冷媒の温度、圧力、前記冷凍・空調機の累積運転時間のいずれか１つを含むことを特徴とする洗浄薬品選定装置。
【請求項６】
請求項４または５に記載の洗浄薬品選定装置であって、
前記運転情報は、携帯端末からも入力することができることを特徴とする洗浄薬品選定装置。
【請求項７】
冷凍・空調機の水冷凝縮器の洗浄薬品を選定する方法であって、
当該冷凍・空調機の設置場所を入力する工程と、
前記設置場所データから記憶装置に記憶された該当する取水地の水質データと洗浄剤データを読み出す工程と、
前記水質データと洗浄剤データに基づいてコンピュータにより洗浄薬品を選定する工程と、
を含む洗浄薬品選定方法。
【請求項８】
請求項７に記載の洗浄薬品選定方法であって、
前記冷凍・空調機の凝縮機の運転情報を入力する運転情報入力工程と、
前記運転情報に基づいて前記コンピュータにより洗浄の必要性を判断する洗浄必要性判断工程と、
を含むことを特徴とする洗浄薬品選定方法。
【請求項９】
請求項８に記載の洗浄薬品選定方法であって、
前記運転情報は、少なくとも冷却水および冷媒の温度、圧力、前記冷凍・空調機の累積運転時間のいずれか１つを含むことを特徴とする洗浄薬品選定方法。
【請求項１０】
冷凍・空調機の水冷凝縮器の洗浄を手配するシステムであって、
当該冷凍・空調機の設置場所を入力する冷凍・空調機情報入力手段と、
取水地の水質データ、当該取水地から供給される給水地域データおよび洗浄薬品データを記憶する記憶装置と、データ通信回線を介して情報を送受信するデータ通信手段と、洗浄薬品選定アルゴリズムを有したホストコンピュータと、
洗浄薬品の販売業者に配置され、データ通信回線を介して前記コンピュータとデータを送受信する業者端末と、
を備え、
前記コンピュータは、前記コンピュータによって選定された洗浄薬品の見積り、納期情報の回答依頼を前記洗浄薬品の取り扱い業者に送信し、
前記業者は前記業者端末から前記コンピュータへ前記見積り、納期回答情報を送信することを特徴とする洗浄手配システム。
【請求項１１】
請求項１０に記載の洗浄手配システムにおいて、
前記冷凍・空調機情報に洗浄実績データを含むことを特徴とする洗浄手配システム。
【請求項１２】
請求項１０または１１に記載の洗浄手配システムにおいて、
前記冷凍・空調機情報入力手段は前記コンピュータと無線を介したデータ通信を行う携帯端末であることを特徴とする洗浄手配システム。
【請求項１３】
請求項１０〜１２のいずれか１項に記載の洗浄手配システムにおいて、
前記冷凍・空調機に前記水冷凝縮器の運転情報を前記コンピュータにデータ通信回線を介して送信する運転情報入力手段を備え、
前記コンピュータは洗浄の必要性を判断するアルゴリズムを有し、
前記コンピュータは前記データに基づき、洗浄の必要性の判断を行うことを特徴とする洗浄手配システム。
【請求項１４】
請求項１３に記載の洗浄手配システムにおいて、
前記運転情報は、少なくとも冷却水および冷媒の温度、圧力、前記冷凍・空調機の累積運転時間のいずれか１つを含むことを特徴とする洗浄手配システム。
【請求項１５】
請求項１３または１４に記載の洗浄手配システムであって、
前記運転情報は、携帯端末からも入力することができることを特徴とする洗浄手配システム。
【請求項１６】
請求項１０〜１５のいずれか１項に記載の洗浄手配システムであって、
前記携帯端末は前記コンピュータから前記見積り、納期回答情報を受信することを特徴とする洗浄手配システム。
【請求項１７】
請求項１６に記載の洗浄手配システムであって、
前記携帯端末は、見積書発行手段を有することを特徴とする洗浄手配システム。
【発明の詳細な説明】
【技術分野】
【０００１】
本発明は洗浄薬品選定装置、特に冷凍・空調機器の水冷凝縮器の洗浄薬品の選定を行う装置に関する。
【背景技術】
【０００２】
冷凍・空調装置には気化した冷媒を冷して液化させるための凝縮器（熱交換器）を備える。大型の冷凍・空調装置には水冷の凝縮器が用いられている。水冷凝縮器の構造には、規模に応じて二重管方式、シェルアンドチューブ方式などがある。
【０００３】
これらの方式の水冷凝縮器は、銅管内に冷却水を流し外に冷媒ガスを流す構造となっており銅管を介して熱の交換を行う。
【０００４】
凝縮器の運転に従い、冷却水の経路にはスケールと呼ばれる冷却水に含まれるカルシウムやシリカなどの無機塩類が固体化したものや、スライムと呼ばれる細菌や藻類などの微生物群の汚濁物等が付着し、冷却効率の低下や消費電力の増加等の障害を招くことがあった。このような障害を回避するため、保守員が日常点検において、冷却水圧力や冷却水温度から冷却水の経路の汚れを経験に基づいて判断し、管内の洗浄を行っていた。
【０００５】
洗浄方法として、凝縮器に低濃度のオゾン水を噴射する方法があった（例えば特許文献１参照）。
【０００６】
【特許文献１】特開平７−２６０２０６公報
【発明の開示】
【発明が解決しようとする課題】
【０００７】
水冷凝縮器に使われる冷却水は一般に水道水を循環させるものであり、その水質は地域によって無機塩類や有機物の含有量が大きく異なる。このため、水冷凝縮器の運転に伴う汚れは用いる冷却水に特有なものとなり、その洗浄にはその汚れに適した洗浄薬品を用いる必要がある。
【０００８】
したがって、最適な洗浄を行うためには、まず、その汚れを分析し、その汚れに適した洗浄薬品を選ぶことが好ましい。しかしながら、その分析には時間が掛かるものであり、しかもその間冷凍・空調機器の運転を停止させておかなければならず、冷凍・空調機器の早期運転を望むユーザの要望に沿うものではなかった。
【０００９】
このため、一般に、汚れ分析はせず、洗浄を行う保守員が経験に基づいて洗浄薬品を準備してから冷凍・空調機器の運転を停止させて洗浄作業を行っていた。したがって、その保守員の準備した洗浄薬品がその汚れに最適な洗浄薬品でないことがあった。このため、装置を停止させ、洗浄作業を行っても、所望の洗浄効果が得られず、再度洗浄が必要となってしまう場合があった。そのような場合、洗浄コストの増大とともに、無駄な洗浄廃液による環境への影響が問題となっていた。
【００１０】
本発明は、当該凝縮器に最適な洗浄薬品を選択することができる洗浄薬品選定装置に関する。
【課題を解決するための手段】
【００１１】
本発明は、冷凍・空調機の水冷凝縮器の洗浄薬品を選定する装置であって、取水地の水質データ、当該取水地から供給される給水地域データおよび洗浄薬品データを記憶する記憶装置と、当該冷凍・空調機の設置場所を入力する冷凍・空調機情報入力手段と、洗浄薬品選定アルゴリズムを有したコンピュータと、を備え、前記入力とデータに基づいて、前記水冷凝縮器の洗浄に適した洗浄薬品を選定することを特徴とする。
【００１２】
この構成によれば、当該水冷凝縮器の洗浄に最適な洗浄薬品を選定することができるため、不適合な洗浄薬品を用いた効果の無い無駄な洗浄作業を行ってしまうことが無い。したがって、洗浄コストの低減と、無駄な洗浄廃液による環境への悪影響を無くすことができる。
【００１３】
また、前記冷凍・空調機情報に洗浄実績データを含むことが好ましい。
【００１４】
この構成によれば、洗浄薬品と水質との適合関係が随時更新され、実績に基づいた最適な洗浄薬品を選定することができる。
【００１５】
また、コンピュータは前記選定を一元的に行うホストコンピュータであり、前記冷凍・空調機情報入力手段は前記コンピュータと無線を介したデータ通信を行う携帯端末であることが好ましい。
【００１６】
また、前記冷凍・空調機に前記水冷凝縮器の運転情報を前記コンピュータにデータ通信回線を介して送信する運転情報入力手段を備え、前記コンピュータは洗浄の必要性を判断するアルゴリズムを有し、前記コンピュータは前記データに基づき、洗浄の必要性の判断を行うことが好ましい。
【００１７】
また、前記運転情報は、少なくとも冷却水および冷媒の温度、圧力、前記冷凍・空調機の累積運転時間のいずれか１つを含むことが好ましい。
【００１８】
また、前記運転情報は、携帯端末からも入力することができることが好ましい。
【００１９】
本発明は、冷凍・空調機の水冷凝縮器の洗浄薬品を選定する方法であって、当該冷凍・空調機の設置場所を入力する工程と、前記設置場所データから記憶装置に記憶された該当する取水地の水質データと洗浄剤データを読み出す工程と、前記水質データと洗浄剤データに基づいてコンピュータにより洗浄薬品を選定する工程と、を含む。
【００２０】
また、前記冷凍・空調機の凝縮機の運転情報を入力する運転情報入力工程と、前記運転情報に基づいて前記コンピュータにより洗浄の必要性を判断する洗浄必要性判断工程と、を含むことが好ましい。
【００２１】
また、前記運転情報は、少なくとも冷却水および冷媒の温度、圧力、前記冷凍・空調機の累積運転時間のいずれか１つを含むことが好ましい。
【００２２】
本発明は、冷凍・空調機の水冷凝縮器の洗浄を手配するシステムであって、当該冷凍・空調機の設置場所を入力する冷凍・空調機情報入力手段と、取水地の水質データ、当該取水地から供給される給水地域データおよび洗浄薬品データを記憶する記憶装置と、データ通信回線を介して情報を送受信するデータ通信手段と、洗浄薬品選定アルゴリズムを有したホストコンピュータと、洗浄薬品の販売業者に配置され、データ通信回線を介して前記コンピュータとデータを送受信する業者端末と、を備え、前記コンピュータは、前記コンピュータによって選定された洗浄薬品の見積り、納期情報の回答依頼を前記洗浄薬品の取り扱い業者に送信し、前記業者は前記業者端末から前記コンピュータへ前記見積り、納期回答情報を送信することを特徴とする。
【００２３】
この構成によれば、洗浄薬品の手配を迅速に、かつ、低コストで行うことができる。
【００２４】
また、前記冷凍・空調機情報に洗浄実績データを含むことが好ましい。
【００２５】
また、前記冷凍・空調機情報入力手段は前記コンピュータと無線を介したデータ通信を行う携帯端末であることが好ましい。
【００２６】
また、前記冷凍・空調機に前記水冷凝縮器の運転情報を前記コンピュータにデータ通信回線を介して送信する運転情報入力手段を備え、前記コンピュータは洗浄の必要性を判断するアルゴリズムを有し、前記コンピュータは前記データに基づき、洗浄の必要性の判断を行うことが好ましい。
【００２７】
また、前記運転情報は、少なくとも冷却水および冷媒の温度、圧力、前記冷凍・空調機の累積運転時間のいずれか１つを含むことが好ましい。
【００２８】
また、前記運転情報は、携帯端末からも入力することができることが好ましい。
【００２９】
また、前記携帯端末は前記コンピュータから前記見積り、納期回答情報を受信することが好ましい。
【００３０】
また、前記携帯端末は、見積書発行手段を有することが好ましい。
【発明の効果】
【００３１】
本発明によれば、水質データと過去の洗浄作業実績に基づいて、当該冷凍・空調機に最適な洗浄薬品の選定を行うことが可能となり、洗浄剤不適合による再洗浄が必要となることは無い。このため、洗浄コストおよび洗浄廃液量を削減することができる。また、当該冷凍・空調機の設置場所の保守員とデータ通信網を介して携帯端末と情報管理センタとで直接情報の授受ができるため、迅速な洗浄手配を行うことができる。
【発明を実施するための最良の形態】
【００３２】
以下、本発明の実施形態について、図面に基づいて説明する。
【００３３】
図１は実施形態に係る洗浄薬品選定装置の構成を示す図である。水冷凝縮器１０を備えた冷凍・空調機１は、凝縮器の冷却水配管の汚れ具合を感知するための冷却水および冷媒の温度と圧力を測定する温度センサ１２および圧力センサ１４と、運転状況を示す運転データ取得手段１６と累積運転時間データ取得手段１８を有する。情報管理センタ２０には、物件情報、水質データ、保守実績データ、洗浄薬品データを記憶した記憶装置２２、それらのデータに基づいて最適な洗浄薬品を決定する診断アルゴリズムを備えたコンピュータ２４、前記データおよび診断結果を表示する表示装置２６、データ通信網３２との通信を制御するルータ２８が互いに接続されて設置されている。また、各地の冷凍・空調機の保守を行う保守員は前記情報管理センタのホストコンピュータ２４に対して冷凍・空調機の設置住所、保守データを送信したり、コンピュータ２４からの保守指示を受け取る携帯端末３０を所持している。携帯端末３０とコンピュータ２４とのデータ通信は無線で行うことができる。また、洗浄薬品の販売業者には、コンピュータ２４からデータ通信網３２を介して前記洗浄薬品の見積りおよび納期問い合わせを受け、その問い合わせに対する回答をデータ通信網を介して送信するための販売業者端末４０が備えられている。さらに、前記温度センサ１２および圧力センサ１４のデータは、データ通信網３２を介して前記コンピュータ２４に送信される。
【００３４】
ここで、本発明において特徴的なことは、前記水質データは水道取水地における水質データおよび当該取水地から供給される給水地域データを含むことである。したがって、当該冷凍・空調機の設置住所、ユーザ名、機器の型名等で構成される前記物件情報の入力により、当該冷凍・空調機の凝縮機に用いられている冷却水の水質データを前記水質データから導き出すことができる。さらに前記物件情報には当該冷凍・空調機の設置環境情報が含まれることが好ましい。洗浄薬品の選定において、例えば、幹線道路脇では空調機の冷却塔から混入した窒素酸化物等を考慮することが好ましいためである。
【００３５】
図２に実施形態の冷凍・空調機用水冷凝縮器の洗浄薬品選定フローを示す。情報管理センタ２０に設置されたコンピュータ２４に、取水地の水質データ、当該取水地から供給される給水地域データ、保守実績データおよび洗浄薬品データを入力（Ｓ１０）し、記憶装置２２に記憶する（Ｓ２０）。
【００３６】
コンピュータ２４に、当該冷凍・空調機１の設置場所を含む物件情報を入力する（Ｓ３０）と、コンピュータ２４は備えられた診断アルゴリズムにより、当該冷凍・空調機１の凝縮器に用いられている循環冷却水の水質データを記憶装置２２から読み出し（Ｓ４２）、最適な洗浄薬品を選定する（Ｓ４４）。
【００３７】
ここで、すでに保守契約をしている冷凍・空調機１では、少なくとも冷却水および冷媒の温度、圧力、前記冷凍・空調機の累積運転時間のいずれか１つを含む運転情報が、データ通信回線を介してコンピュータ２４に送信され（Ｓ１２）、コンピュータ２４はそれを受信し（Ｓ１６）、記憶装置２２に記憶されている（Ｓ２０）。これらのデータからコンピュータ２４は当該冷凍・空調機１の凝縮器の汚れを判断し、洗浄の必要を判定する（Ｓ２０）ことが好ましい。
【００３８】
一般に知られているように、凝縮器の冷却水配管の汚れ具合を判定するための指標としては、冷却水および冷媒の温度から温度算術平均温度差等を用いる。また、前記運転情報は、定期点検を行った保守員が携帯端末３０から入力し、データ通信網を介してコンピュータ２４に送信し（Ｓ１６）、コンピュータ２４はそのデータを受信し（Ｓ１８）、記憶装置２２に記憶する（Ｓ２０）ことが好ましい。
【００３９】
洗浄作業が必要であると判断された場合、コンピュータ２４は記憶装置２２から物件情報、水質データ、保守実績データ、洗浄薬品データを読み出し（Ｓ４２）、備えられた診断アルゴリズムにより、洗浄に最適な洗浄薬品を選定する（Ｓ４４）。保守実績データは過去の洗浄作業で使用した洗浄薬品の種類、量および洗浄後の洗浄結果データを、保守員が携帯端末３０を介して記憶装置２２に記憶されたデータである。また、水質データにはあらかじめ分析した循環冷却水の水質データを含むことが好ましい。取水地の水質情報より、直接的な情報であるからである。また、前記洗浄薬品の選定には、予定使用量の見積りも含むことが好ましい。また、導き出された地域ごとの最適洗浄薬品はあらかじめマップ化されていることが好ましい。
【００４０】
洗浄薬品が選定されると、コンピュータ２４は記憶装置２２から、洗浄薬品データに含まれる該当する洗浄薬品の製品名とその製品を扱う販売業者名を読み出し（Ｓ４６）、当該業者に見積り、納期回答依頼を販売業者に設置された販売業者端末４０にデータ通信網を介して送信する（Ｓ４８）。該当する販売業者が複数ある場合は、全ての業者に見積り、納期回答依頼を送信する。
【００４１】
見積り、納期回答依頼を受け取った販売業者は、見積り、納期を販売業者端末４０からデータ通信網を介してコンピュータ２４に回答する（Ｓ５０）。
【００４２】
コンピュータ２４は価格・納期の条件の最も良い販売業者を選定し（Ｓ５２）、当該保守員に選定された販売業者の価格・納期情報をデータ通信網を介して携帯端末３０に送信する（Ｓ５４）。
【００４３】
保守員は、納期、価格情報を携帯端末３０で受け取り、冷凍・空調機１のユーザに対し、洗浄作業の費用、日程について提示する。ここで、洗浄薬品の納期、価格条件の最も良い販売会社を選定した後、その情報を携帯端末３０に送信するとしたが、回答のあった複数の販売業者の納期、価格情報を携帯端末３０に送信し、ユーザとの交渉によりユーザの要望にあった販売業者を選定しても良い。
【００４４】
さらに、携帯端末３０は見積書を発行する見積書作成機能を有することが好ましい。これにより、別途見積書を送付するための時間を省くことができ、洗浄作業開始までの時間を短縮することができる。
【００４５】
保守員は洗浄作業後の、洗浄結果を携帯端末３０から入力し、データ通信網を介してコンピュータ２４に送信する（Ｓ５６）。コンピュータ２４はその結果を新たな保守データとして記憶装置２２に記憶させ、次の洗浄薬品選定へのフィードバック情報とする。
【図面の簡単な説明】
【００４６】
【図１】本発明の実施形態に係る冷凍・空調機用水冷凝縮器の洗浄薬品選定装置の構成を示す図である。
【図２】本発明の実施形態に係る冷凍・空調機用水冷凝縮器の洗浄薬品選定処理フローを示す図である。
【符号の説明】
【００４７】
１  空調機、１０  水冷凝縮器、１２  温度センサ、１４  圧力センサ、１６  運転データ取得手段、１８  累積運転時間データ取得手段、２０  情報管理センタ、２２  記憶装置、２４  ホストコンピュータ、２６  表示装置、２８  ルータ、３０  携帯端末、３２  データ通信網、４０  販売業者端末。
【図１】
2005030693.tif 000003
【図２】
2005030693.tif 000004